(57)【要約】【課題】本体の側面と光源との隙間と、光源と、の輝度対比を少なくした埋込型照明器具の提供を目的とする。【解決手段】  ＬＥＤを光源とした埋込形照明器具において、本体の側面と光源を覆うカバーとの間に隙間を設け、前記カバーは前記光源からの光を照明器具本体外部と前記隙間とに照射するカバーである。【選択図】図１
2014137842.tif 000002
【特許請求の範囲】
【請求項１】
ＬＥＤを光源とした埋込形照明器具において、本体の側面と光源を覆うカバーとの間に隙間を設け、前記カバーは前記光源からの光を照明器具本体外部と前記隙間とに照射するカバーであることを特徴とした埋込型照明器具。
【請求項２】
前記カバーの形状を略コの字状であることを特徴とした請求項１に記載の埋込型照明器具。
【請求項３】
前記光源と前記カバーの高さを調整することが可能であることを特徴とした請求項１又は２に記載の埋込型照明器具。
【発明の詳細な説明】
【技術分野】
【０００１】
本発明は埋込形照明器具に関するものである。
【背景技術】
【０００２】
従来の埋込形照明器具は、天井にあけられた埋込用穴に照明器具を埋め込み、天井裏に予め用意してあるアンカーボルトで照明器具を固定するという施工方法が一般的である。しかし近年では、照明器具や天井ボードなどがはめ込み式で、より施工性が良いシステム天井タイプが増えてきており、前記天井に対応したＬＥＤを光源とした埋込形照明器具も年々増えてきている。
【０００３】
また、埋込形照明器具には、室内空間を照明する機能のほかに、空調機器などから吹き出した空気や排煙を天井裏など室外へ戻すための空調リターン機能を備えているものもある。このような照明器具は、本体と光源の間に空気の通り道である隙間や通気穴を設けることで、室内の空気や排煙を天井裏へ排出する構造となっている（特許文献１）。
【先行技術文献】
【特許文献】
【０００４】
【特許文献１】特開２０１０−１９８８５９号公報
【発明の概要】
【発明が解決しようとする課題】
【０００５】
特許文献１に記載の埋込形照明器具において、照明器具を点灯させた場合、本体の側面と光源との隙間は光が届かない暗い影部となり、この暗い影部と光源との輝度対比は極端に大きくなる。照明器具において、輝度対比が極端に大きい、つまりは照明器具の一部に暗い影部が出来ると、照明されている室内空間の雰囲気が好ましくないと感じる恐れがある。また、光源の輝度が大きいとグレア(まぶしさ)として感じられ、視野環境が悪くなる恐れがある。
【０００６】
本発明では、本体の側面と光源との隙間と、光源と、の輝度対比を少なくした埋込型照明器具の提供を目的とする。
【課題を解決するための手段】
【０００７】
本発明は上記課題を解決するために、請求項１の発明によれば、前記本体の側面と前記光源を覆うカバーとの間に隙間を設け前記カバーは前記光源からの光を照明器具本体外部と前記隙間とに照射するカバーとしたことを特徴とする。
【発明の効果】
【０００８】
本発明によれば、空調リターン機能を具備しながら、従来の埋込形照明器具で顕著に現れていた輝度対比を少なくした埋込型照明器具を提供することができる。
【図面の簡単な説明】
【０００９】
【図１】照明器具の実施例１の正面を示す斜視図である。
【図２】照明器具の実施例１を示す分解図である。
【図３】図１のＢ−Ｂ’対応の部分断面図である。
【図４】照明器具の実施例１の背面を示す斜視図である。
【図５】実施例１における発光部を示す図１のＢ−Ｂ’詳細断面図である。
【図６】実施例１における発光部を示す正面図である。
【図７】照明器具の実施例２の正面を示す斜視図である。
【図８】図７のＣ−Ｃ’対応の部分断面図である。
【図９】図７のＥ−Ｅ’対応の部分断面図である。
【発明を実施するための形態】
【００１０】
以下、本発明に係る埋込型照明器具の実施例を図面を用いて説明する。説明には空調リターン構造を頻繁に用いるシステム天井用照明器具を例とするが、本発明はシステム天井用照明器具に限定するものではない。
【実施例１】
【００１１】
図１は、本発明が解決しようとする課題を有する照明器具の実施例１の正面を示す斜視図であり、図２は分解略図、図３は図１のＢ−Ｂ’断面図、図４は本発明が解決しようとする課題を有する照明器具の実施例１の背面を示す斜視図、図５は実施例１における発光部を示す図１のＢ−Ｂ’詳細断面図、図６は実施例１における発光部を示す正面図である。
【００１２】
光源として複数のＬＥＤ２は、ＬＥＤ２を電気的に接続しかつＬＥＤ２から発せられる熱を効率的に伝播、放熱するための実装基板３に実装される。実装基板３はさらにＬＥＤ２から発せられた熱を照明器具１の外部に逃がすために固定部品４に固定される。実装基板３は略板状の形状である。
【００１３】
固定部品４の材料としては、高熱伝導樹脂や金属、セラミックなどが挙げられるが、これらのうちでも機械的強度、放熱性、耐熱性、加工性が良好であることから、鋼板やアルミニウム板が好ましい。
【００１４】
ＬＥＤ２の光出射方向には、ＬＥＤの充電部やレンズ部、樹脂封止部に人が直接触れられないようにすること、及び光の拡散を目的とし、透光性を有するカバー５が配置される。ＬＥＤ２、実装基板３、光源固定部品４、カバー５を一つのモジュール６とし、モジュール６は照明器具の構造体となる本体７に取付部材８を介して取り付けられる。カバー５の断面形状を、ＬＥＤ２から発せられた光を収納部９の方向以外の側面１８方向にも照射するような略コの字状とする。光源固定部品４はＬＥＤ２から発せられカバー５の側面１８方向を透過した光を遮らないような形状をしている。
【００１５】
本体７は、収納部９を有し、収納部９にはモジュール６およびＬＥＤ２を点灯するための点灯装置１０が収納される。図２では、照明装置１に２つのモジュール６と１つの点灯装置Ｘが収納される例を示しており、１つの点灯装置１０で２つのモジュール６を点灯させる構成となっているが、モジュール６および点灯装置１０の台数について限定するものではない。
【００１６】
本体７の中央部には、スピーカー、非常灯、各種センサ等を取り付けられる設備用プレート１１を収納するための開口１２を有する。また、本体７の外周部は、断面形状が逆Ｔ字状で、略正方形の複数の升目を形成するように格子状に配置された天井バー１３に載せるための縁部７１を有し、支持金具１４によって本体７と天井バー１３を固定し、照明器具１の浮き上がり及び落下を防止する。
【００１７】
本体７は、収納部９以外の面に空調リターン及び排煙を目的とした穴１５を有する。照明器具１を設置する部屋内の空気又は排煙を穴１５に通すために、モジュール６は照明器具本体７に隙間１６を設けて取り付けられる。
【００１８】
ＬＥＤ２から発せられた光は側面１８に照射され反射光Ｒが発生することで、従来は暗い影部Ｄとなっていた隙間１６を明るくすることが可能となる。このことにより光源カバー５の発光部Ｌと隙間１６の輝度対比が小さくなり、所望の空調リターン面積を確保しながら、照明器具１のグレアを抑制し、視野環境を改善することが可能となる。
【００１９】
また、カバー５の形状を略コの字状としたことにより、ＬＥＤ２から距離をとることが容易となり、カバー５表面にＬＥＤ２のツブ状の明暗を抑えることができ、発光面Ｌ内の輝度対比も小さくできるので、よりグレアを抑制することが可能となる。
【００２０】
カバー５は拡散性を持たせるために、片面あるいは両面にプリズム状の成形を施したもの、レンズ状の成形を施したもの、マット加工を施したもの、またはカバー材の内部に拡散性を高める微粒子を混ぜたものを使用することが好ましい。
【００２１】
ただし、側面１８に光を照射することが可能であれば、カバー５の断面形状は略コの字状に限らず、略半球状、かまぼこ状でも良い。
【実施例２】
【００２２】
図７は、本発明が解決しようとする課題を有する照明器具の実施例２の正面側を示す斜視図であり、図８は図７のＣ−Ｃ’断面図であり、図９は図７のＥ−Ｅ’断面図である。
【００２３】
取付部材８は高さを調整し、取付部材８の高さを実施例１より小さくすることで、収納部９の器具下方側と、モジュール６の下方にスペース１９を設けることが可能である。取付部材８の高さを小さくし、かつスペース１９にルーバ２０を配置することで、輝度対比を小さくするだけでなく、遮光角θを大きく取ることができるようになり、実施例１よりも更なるグレア抑制を発揮し、視野環境を改善することが可能となる。
【図１】
2014137842.tif 000003
【図２】
2014137842.tif 000004
【図３】
2014137842.tif 000005
【図４】
2014137842.tif 000006
【図５】
2014137842.tif 000007
【図６】
2014137842.tif 000008
【図７】
2014137842.tif 000009
【図８】
2014137842.tif 000010
【図９】
2014137842.tif 000011